(57)【要約】【課題】ロータが急激に高速で逆回転する状態となっても、ロータの過回転を抑制して、ロータに突設した腕部の付け根部分や釣糸案内部の支持部等に対する衝撃的な負荷を軽減し、破損を防止することのできる魚釣用スピニングリールを提供すること【解決手段】リール本体１２の駆動機構に連結されたハンドル１６の回転で連動回転するロータ２４に釣糸案内部３２を有する釣糸案内部材が装着された魚釣用スピニングリール１０であって、前記ロータ２４の高速回転による遠心力によって移動する移動部材７０を、前記リール本体１２又はスプール３８に設けた制動部６８に接触させ、ロータ２４の高速回転を制動可能とした魚釣用スピニングリール【選択図】  図１
2006121974.tif 000002
【特許請求の範囲】
【請求項１】
リール本体の駆動機構に連結されたハンドルの回転で連動回転するロータに釣糸案内部を有する釣糸案内部材が装着された魚釣用スピニングリールであって、前記ロータの高速回転による遠心力によって移動する移動部材を、前記リール本体又はスプールに設けた制動部に接触させ、ロータの高速回転を制動可能としたことを特徴とする魚釣用スピニングリール。
【発明の詳細な説明】
【技術分野】
【０００１】
本発明は、リール本体に装着したハンドルの回転操作に連動回転するロータに釣糸案内部を設け、この釣糸案内部を介してスプールに釣糸を巻回する魚釣用スピニングリールに関する。
【背景技術】
【０００２】
一般に、魚釣用スピニングリールでは、釣糸を案内してスプールに巻回する釣糸案内部が、ハンドルの回転操作に連動して高速回転するロータの基部に突設された一対の腕部に、反転自在に支持されている。
【０００３】
このような魚釣用のスピニングリールでは、釣法として、魚の引きに迅速に対応するべく、リール本体前部の脚部にレバーを設け、このレバーを釣竿側に引き上げ操作することで、逆回転するロータに制動力を付与すると共に、ロータの慣性力による不要なロータの逆回転による糸フケの防止を図るべく、過回転防止用の磁気制動装置を備えたものが開発されている（例えば特許文献１参照）。
【特許文献１】実公平２−４６２９９号公報
【発明の開示】
【発明が解決しようとする課題】
【０００４】
実際の魚釣時においては、例えば、逆回転可能な状態のロータをレバーで制動した状態で釣竿を引き上げ、釣竿を水面側に降ろして釣糸を巻き取る操作を繰り返しながら魚を誘う操作を行うことがあり、このような釣法の場合には、魚の強い引き及び波の影響が加わり、釣糸の繰出し側に釣竿が大きく撓んで、巻き取り操作する上で必要な釣竿の撓み（すなわち撓みを許容する弾力あるいはタメ）がなくなってしまうことがある。このような場合には、釣竿を上方に引き上げ、釣糸を繰り出す操作を行う。このとき、例えば釣竿の長さや撓みの反動等の影響により、釣糸の繰り出しと共にロータが高速で逆回転する現象が生じる。
【０００５】
また、このようなロータの急激な逆回転現象は、例えば、誤ってストッパーをオフの状態（ロータの逆回転が可能な状態）としたまま、ロータの腕部で支持されたベールを起こし、仕掛けを遠方に放出した際に、ベールが元の状態に誤復帰した場合にも生じる。
【０００６】
このようなロータの急激な逆回転が生じた場合、従来のような非接触方式の磁気制動装置は、ロータの回転速度に比例して制動作用が徐々に加わるため、慣性力による過回転を抑制することは可能であっても、急激な逆回転の制動には効果的でない。  
特に、ロータが急激に高速で逆回転する場合には、ロータの基部から半径方向外方に突出する腕部の付け根部分や、この腕部の前部に設けられた釣糸案内部の支持部等に、衝撃的な応力集中が発生し、腕部等の破損の原因となる虞がある。腕部が破損した魚釣用のスピニングリールは、使用できなくなるだけでなく、そのまま使い続けると極めて危険である。
【０００７】
本発明は、このような事情に基づいてなされたもので、ロータが急激に高速で逆回転する状態となっても、ロータの過回転を抑制して、ロータに突設した腕部の付け根部分や釣糸案内部の支持部等に対する衝撃的な負荷を軽減し、破損を防止することのできる魚釣用スピニングリールを提供することを目的とする。
【課題を解決するための手段】
【０００８】
上記目的を達成する本発明の魚釣用スピニングリールは、リール本体の駆動機構に連結されたハンドルの回転で連動回転するロータに釣糸案内部を有する釣糸案内部材が装着された魚釣用スピニングリールであって、前記ロータの高速回転による遠心力によって移動する移動部材を、前記リール本体又はスプールに設けた制動部に接触させ、ロータの高速回転を制動可能としたことを特徴とする。
【発明の効果】
【０００９】
本発明による魚釣用スピニングリールは、実釣時のロータ逆回転による釣糸の繰出しおよび釣糸の巻取りを通じた魚との対応時や、誤操作によって、ロータが急激に高速で逆回転する状態となっても、遠心力が作用する移動部材とリール本体又はスプールに設けた制動部との接触による制動作用により、ロータの逆方向の過回転を抑制し、ロータに突設した腕部の付け根部分や釣糸案内部の支持部等に対する衝撃的な負荷を軽減し、破損を未然に防止することができる。
【発明を実施するための最良の形態】
【００１０】
図１から図５は、本発明の好ましい実施形態による魚釣用スピニングリール１０を示す。  
図１に全体を示すように、本実施形態の魚釣用スピニングリール１０は、リール本体１２と、リール本体１２から延出するリール取付脚部１２ａと、このリール取付脚部１２ａの端部に形成されかつ図示しない釣竿に取り付けられる竿取付部１２ｂとを有している。リール本体１２内にはハンドル軸１４が回転可能に図示しないボール軸受を介して支持されており、このハンドル軸１４の端部にハンドル１６が取付けられている。このハンドル軸１４のリール本体１２内に配置される部位には、駆動機構１７の一部を形成するドライブギア１８を配置してある。
【００１１】
ドライブギア１８には、ハンドル軸１４に対して直交する方向に延在しかつ軸受２０を介してリール本体１２内に回転可能に支持されたピニオンギア２２が噛合している。このピニオンギア２２は、円筒状構造の回転軸筒２３の基端部に形成されており、ピニオンギア２２と反対側の先端部には、ロータ２４の軸筒部２５が回り止めされて装着され、ナット２６で一体的に固定されている。このロータ２４の基端部の径方向に対向した部位に、一対の腕部２８が突設されており、この腕部２８は、ロータ２４の基端部から先端側に向けて軸方向に延び、その先端部に、ベール３０が反転自在に取付けられている。このベール３０の一方の端部は、一方の腕部２８に設けられた釣糸案内部３２に取り付けられている。
【００１２】
また、このピニオンギア２２および回転軸筒２３内には、スプール軸３４が摺動可能に支持されており、上述のドライブギア１８およびピニオンギヤ２２を介してハンドル軸１４で作動される通常のオシレーティング機構３６により、軸方向に沿う一定のストロークで往復駆動することができる。このスプール軸３４の先端には、釣糸が巻回されるスプール３８が着脱可能に取付けられ、スプール軸３４と共にこのハンドル軸１４と直交する方向に往復動することができる。
【００１３】
したがって、この魚釣用リール１０は、ハンドル１６を回転操作してハンドル軸１４を回転させると、オシレーティング機構３６およびスプール軸３４を介してスプール３８が前後に一定ストロークで往復動すると共に、ドライブギア１８およびピニオンギア２２を介してロータ２４が回転する。これにより、ロータ２４に設けられた釣糸案内部３２を介して、スプール３８に釣糸が均等に巻回される。
【００１４】
更に、本実施形態では、ロータ２４の逆回転を阻止するストッパーとして、ハンドル軸１４の周部に回り止めされて装着された爪車４０と、この爪車に噛合う爪部材４２とが設けられている。この爪部材４２は、リール本体１２に中間部を枢着され、公知のように先端側が爪車４０係止部に係合する方向（図１の実施形態では反時計方向）にばね付勢されている。この爪部材４２の先端部が爪車４０に噛合うストッパーのオン位置と、非係合のストッパーのオフ位置とに切換え可能とするため、本実施形態では、爪部材４２の後端部を介してオン位置とオフ位置とに切換える切換レバー４４が配置されており、リール本体１２の後部から突出した操作部４４ａを介して作動することができる。
【００１５】
この切換レバー４４の操作部４４ａを操作して、ストッパーをオン位置すなわち爪部材４２の先端部が爪車４０の係止部と係合する位置に保持することことにより、この爪車４０の逆回転すなわちロータ２４が釣糸繰出し方向に向けて逆回転するのを阻止すると共に、ハンドル１６を介してロータ２４を正回転すなわち釣糸巻回方向に回転することができる。一方、操作部４４ａを操作することにより、ストッパーをオフ位置すなわち爪部材４２の先端部と爪車４０の係合部との係合を解除すると、ロータ２４は、正回転および逆回転の双方が可能となる。
【００１６】
図１および図２に示すように、スプール３８のスカート部３８ａに収容されたロータ２４の円筒状部２４ａは基端部側に開口する凹部４６を有し、この凹部４６内に、ロータ２４の回転を制動する制動装置が設けられている。本実施形態の制動装置は、このリール取付脚部１２ａに、中間部を枢着された操作部材４８で作動されてロータ２４の逆回転を制動する摩擦制動機構５０と共に、後述するようにロータ２４の過回転を制動する遠心制動機構５２とを備える。
【００１７】
摩擦制動装置５０を作動する操作部材４８は、リール取付脚部１２ａおよび取り付けられる釣竿に沿うように延びるレバー状に構成されており、一端側に指によって操作される操作部４８ａを有し、他端側には、後述する摩擦制動機構５０の制動板６０を押圧するブレーキシュー５４が取付部材５６を介してねじ止めされている。この操作部材４８は、リール取付脚部１２ａに支軸４９で枢着されると共に、他端側をばね５８でリール本体１２の後方に引張られ、ブレーキシュー５４が摩擦制動機構５０の制動板６０から離隔した状態に保持されている。これにより、操作部４８ａを指の操作を通じて、釣竿側に引上げ、支軸４９を中心として回動することにより、ブレーキシュー５４を摩擦制動機構５０の制動板６０に押圧させ、ロータ２４の逆回転を制動することができる。
【００１８】
このブレーキシュー５４で制動される摩擦制動機構５０の制動板６０は、円筒状の軸部６０ａと、この軸部の後端部から半径方向外方に延びるディスク状部６０ｂとを有し、この軸部６０ａがピニオンギヤ２２と一体の回転軸筒２３上に、一方向クラッチ６２を介して装着されている。本実施形態の一方向クラッチ６２は、内輪部材６２ａが回転軸筒２３上に回転不能に装着され、軸受２０の内輪と、ロータ２４の軸筒部２５との間で、軸方向に挟持されている。そして、この内輪部材６２ａ上に複数のローラ６２ｃを介して支えられた外輪部材６２ｂに、制動板６０が回転不能でかつ軸方向に移動可能に装着されている。
【００１９】
この一方向クラッチ６０は、ロータ２４が釣糸繰出し方向に逆回転すると、内輪部材６２ａと外輪部材６２ｂとが図示しない保持器で保持された複数のローラ６２ｃを介して回転不能に連結され、外輪部材６２ｂ上に装着された制動板６０もこの外輪部材６２ｂと共に回転する。一方、ロータ２４が釣糸をスプール３８上に巻回する方向に正回転すると、ローラ６２ｃはフリー回転領域に配置され、内輪部材６２ａの回転は外輪部材６２ｂに伝達されず、したがって、外輪部材６２ｂがどのような状態であっても、内輪部材６２ａは自由に回転することができる。
【００２０】
本実施形態では、制動板６０は、軸部６０ａの後端部から内周側に突出する突条６０ｃを有し、この突条６０ｃと一方向クラッチ６２の後端部との間に介挿されたコイルばね６１により、リール本体１２の後方に付勢されている。また、この制動板６０のディスク状部６０ｂの前部には、リール本体１２から前方に突出する筒部１２ｃの内周面に、例えばスプライン結合等で回り止めされかつストップリング等で抜け止め保持された断面Ｌ字状の受け部材６６が装着されている。この受け部材６６は、ばね６１で後方位置に保持された制動板６０のディスク状部６０ｂとの間に、僅かな間隙を形成保持して配置されている。制動板６０がブレーキシュー５４で押圧されて前方に移動すると、このブレーキシュー５４と受け部材６６との間に、制動板６０のディスク状部６０ｂが挟持され、このときの摩擦力により、制動板６０を介してロータ２４の逆回転が制動される。
【００２１】
図２および図３に詳細に示すように、この摩擦制動機構５０の前方に配置された遠心制動機構５２は、リール本体１２の筒部１２ｃの先端側内周部に形成された制動部６８と、ロータ２４の高速回転による遠心力で半径方向外方に移動して、この制動部６８に接触する移動部材７０とを備える。この移動部材７０を半径方向に移動可能に支える支持部材７２は、リング状の支持体７４から半径方向外方に突出するアーム部として形成してあり、本実施形態では、支持体７４の径方向に対向した位置から一対の支持部材７２が突出している。これらの支持部材７２は、２本に限らず、適宜数とすることが可能であり、いずれの場合も、支持体７４上で周方向に沿って等間隔に配置することが好ましい。
【００２２】
本実施形態の移動部材７０は、支持部材７２上に移動可能な円筒状に形成してある。この移動部材７０は、支持部材７２の先端部に固定した係止リングで一端を支えられたコイルばね７６により、半径方向内方の支持体７４に向けて付勢されており、支持部材７２の外周部に形成された段部７３により、このコイルばね７６の付勢力に抗して支えられている。この移動部材７０が段部７３で支えられている状態では、移動部材７０と制動部６８との間に間隙が形成されて、非接触状態が維持されている。
【００２３】
このように形成された遠心制動機構５２は、ロータ２４が高速で回転し、移動部材７０に作用する遠心力がコイルばね７６の付勢力を超えると、図４に示すように、制動部６８との間に間隙を形成して配置された移動部材７０が、支持部材７２上を半径方向外方に移動し、図５に示すように、リール本体１２の筒部１２ｃの内周面に形成した制動部６８に接触し、ロータ２４を制動する。
【００２４】
したがって、このような摩擦制動機構５０と遠心制動機構５２とを備えた魚釣用スピニングリール１０は、実釣時に、ロータ２４の逆回転を可能とした状態で、操作部材４８およびハンドル１６をを操作しつつ釣糸の繰出し操作と巻き取り操作とを繰り返しながら魚を誘う等の操作を行うことができる。
【００２５】
そして、ロータ２４の逆回転を可能とした状態でロータ２４の逆回転を阻止するストッパーとしての切換レバー４４により、爪車４０と爪部材４２との係合を解除したストッパーオフの状態で、ロータ２４の逆回転による釣糸の繰出しおよび釣糸の巻取りを通じて魚と対応する際、あるいは、切換レバー４４の操作を誤ってストッパーをオフの状態（ロータ２４の逆回転が可能な状態）としたまま、ロータ２４の腕部２８で支持されたベール３０を起こし、仕掛けを遠方に放出したときに、ベール３０が元の状態に誤復帰した際等に、ロータ２４が急激に高速で逆回転した場合であっても、遠心制動機構５２がこのロータ２４の高速回転を抑制する。すなわち、ロータ２４の回転により、遠心制動機構５２の移動部材７０に作用する遠心力が、この移動部材７０を半径方向内方に付勢するコイルばね７６の付勢力を超えると、移動部材７０が支持部材７２上を半径方向外方に移動し、その先端部を筒部１２ｃの内周面に形成した制動面を有する制動部６８に接触係合させてこの制動部に押圧させる。この移動部材７０が制動部６８を押圧する力の大きさは、移動部材７０に作用する遠心力の大きさすなわちロータ２４の回転速度に比例し、ロータ２４の回転速度が高いほど制動力が大きくなる。
【００２６】
これにより、ロータ２４に突設した腕部２８の付け根部分や釣糸案内部３２の支持部等に対する衝撃的な負荷を軽減し、破損を未然に防止することができる。この遠心制動機構５２が作動するときの、ロータ２４の回転速度は、コイルばね７６の付勢力を調節し、あるいは支持部材７２上における移動部材７０の装着位置を調整することで設定することができる。
【００２７】
図６は、変形例による遠心制動機構５２を示す。なお、この変形例あるいは実施形態は、基本的には上述の実施形態と同様であるため、同様な部位には同様な符号を付し、その詳細な説明を省略する。
【００２８】
この変形例による遠心制動機構５２Ａは、制動部６８がスプール３８のスカート部３８ａの内周面に形成してある。このため、ロータ２４の円筒状部を形成する壁部に、移動部材７０を挿通する開口７８を形成し、この開口７８を介して移動部材７０が半径方向外方に移動し、スプール３８のスカート部３８ａの内周面内周制動面を形成した制動部６８に摩擦係合することができる。
【００２９】
このように、制動部６８をスカート部３８ａに形成することにより、移動部材７０を中央のスプール軸３４から離隔した位置に配置することができる。これにより、移動部材７０により大きな遠心力が作用し、大きな制動力を形成することができる。この変形例においても、移動部材７０は一対に限らず、３つあるいはそれ以上設けることができる。
【００３０】
以上、本発明の種々の実施形態および変形例について記載してきたが、本発明はいずれか単独の実施形態あるいは変形例に限るものではなく、例えば制動部６８をリール本体１２の筒部１２ｃおよびスプール３８のスカート部３８ａの双方に設けてもよく、また、制動部６８は、移動部材７０に係合して制動力を形成するものであれば、摩擦係数の異なる表面処理を行ったり、又は、別部材を装着固定する等、適宜の方法で構成したり、或いは、適宜の位置に設けてもよい。
【図面の簡単な説明】
【００３１】
【図１】本発明の好ましい実施形態による魚釣用スピニングリールの一部を欠截した部分断面図。
【図２】図１の魚釣用リールの制動装置の説明図。
【図３】図２のＩＩＩ−ＩＩＩ線に沿う断面図。
【図４】図２の制動装置の遠心制動機構が作動してない状態の説明図。
【図５】図２の制動装置の遠心制動機構が作動した状態の説明図。
【図６】変形例による遠心制動機構の説明図。
【符号の説明】
【００３２】
１０…魚釣用リール、１２…リール本体、１６…ハンドル、２４…ロータ、２８…腕部、３２…釣糸案内部、３８…スプール、６８…制動部、７０…移動部材。
【図１】
2006121974.tif 000003
【図２】
2006121974.tif 000004
【図３】
2006121974.tif 000005
【図４】
2006121974.tif 000006
【図５】
2006121974.tif 000007
【図６】
2006121974.tif 000008